(57)【特許請求の範囲】
【請求項１】
建物外壁の階上の外壁パネル２と階下の外壁パネル２の間の横目地４と、階上の外壁パネル間及び階下の外壁パネル間の縦目地３が交差する箇所における目地構造であって、外壁パネル２が外壁面材５と、外側面材両側縁の胴縁６を介して外壁面材５に重ねられる断熱ボード７と、胴縁間の通気層８を備え、また前記横目地４には屋外側に横目地用一次止水材２４を、その奥側に水切板１９をそれぞれ縦目地３を横断して取付け、前記水切板１９は水平部１９ａと垂直部１９ｂを有して、水平部１９ａが階上及び階下の外壁パネル２の断熱ボード７で上下より挟み込まれて固定される一方、垂直部１９ｂは階下に組付けられる外壁パネル間に形成される縦目地３に装填される縦目地用止水材１１の縦向きのスリット１６に上方より挿入され、スリット１６より屋内側の前記縦目地用止水材の立ち上がり片１７は胴縁６に押付けられて止水する構造をなすことを特徴とする目地構造。
【請求項２】
前記胴縁６は屋外側の側面が上方より一定長さ切除されて外壁面材５との間に差込溝９が形成され、該差込溝９に前記水切板１９の垂直部１９ｂが差し込まれることを特徴とする請求項１記載の目地構造。
【請求項３】
階上及び階下における隣接の外壁パネル２はそれぞれ、断熱ボード同士が密着することを特徴とする請求項１又は２記載の目地構造。
【請求項４】
前記水切板１９は水平部１９ａと垂直部１９ｂの間に前記通気層８を覆う傾斜部１９ｃを有し、前記通気層上の傾斜部１９ｃには通気孔２２が形成されることを特徴とする請求項１ないし３のいずれかの請求項に記載の目地構造。
【請求項５】
横目地４の屋外側に設けられる前記横目地用一次止水材２４は、階下の外壁パネル２における外壁面材５の屋内側及び屋外側のコーナに被さる垂下片２５、２６を有し、階下の外壁パネル２の小口面に被さって該小口面を覆うことを特徴とする請求項１ないし４のいずれかの請求項に記載の目地構造。
【発明の詳細な説明】
【技術分野】
【０００１】
本発明は、建物外壁の階上の外壁パネルと階下の外壁パネルの間の横目地と、階上の外壁パネル間及び階下の外壁パネル間の縦目地が交差する箇所における目地構造に関する。
【背景技術】
【０００２】
特許文献１には、外壁パネルが外壁面材と、該外壁面材両側縁の胴縁を介して外壁面材に重ねた構造をなす断熱材よりなり、両側縁の胴縁間には空気層を有する建物外壁構造が開示されている。この外壁構造は階上の外壁パネルと階下の外壁パネルの間に階間部が設けられており、この階間部に階上パネル又は階下パネルとは別の階間部材を設置している。
【０００３】
特許文献２には、建物外壁に外壁パネルを上下及び横方向に組付け、横方向に組付けられる外壁パネル間の縦目地に二次止水材を屋内側に、一次止水材を屋外側に取付け、また上下の外壁パネル間の横目地に二次止水材を屋内側に、一次止水材を屋外側にそれぞれ縦目地を横断して取付け、縦目地と横目地が十字状に交差する交差部分に縦断面が略Ｚ字状をなす縦目地三次止水材を介在させた構造のものが開示されている。
【先行技術文献】
【特許文献】
【０００４】
【特許文献１】特許第４８９０２１８号
【特許文献２】特許第３８９１７３１号
【発明の概要】
【発明が解決しようとする課題】
【０００５】
特許文献１に開示される止水構造は、階上の外壁パネルと階下の外壁パネルの間に階間部が設けられ、この階間部に階上パネル又は階下パネルとは別の階間部材を設置する構造となっている。
【０００６】
特許文献２に開示される目地構造は、縦目地及び横目地共、一次止水材と二次止水材の二重止水構造となっており、縦目地と横目地が交差する交差部分では、更に三次止水材が
設けられているが、三次止水材という特別な構造の止水材を用意せねばならず、部品点数が多くなり、構造も複雑で工数も多くなる。
【０００７】
本発明は、階上と階下の階間部の構造であって、階上の外壁パネルと階下の外壁パネルの間に階間部を設けない構造に関するもので、縦目地を横断して横目地の屋外側に装填される一次止水材と、その奥側に配置される、止水板よりなる二次止水材とで、縦目地と横目地が交差する交差部分での止水が簡単な構造でもって確実に、しかも容易に施工することができる目地構造を提供することを目的とする。
【課題を解決するための手段】
【０００８】
請求項１に係る発明は、建物外壁の階上の外壁パネルと階下の外壁パネルの間の横目地と、階上の外壁パネル間及び階下の外壁パネル間の縦目地が交差する箇所における目地構造であって、外壁パネルが外壁面材と、外側面材両側縁の胴縁を介して外壁面材に重ねられる断熱ボードと、胴縁間の通気層を備え、また前記横目地には屋外側に横目地用一次止水材を、その奥側に水切板をそれぞれ縦目地を横断して取付け、前記水切板は水平部と垂直部を有して、水平部が階上及び階下の外壁パネルの断熱ボードで上下より挟み込まれて固定される一方、垂直部は階下に組付けられる外壁パネル間の縦目地に装填される縦目地用止水材の縦向きのスリットに上方より挿入され、スリットより屋内側の前記縦目地用止水材の立ち上がり片は胴縁に押付けられて止水する構造をなすことを特徴とする。
【０００９】
請求項２に係る発明は、請求項１に係る発明において、前記胴縁は屋外側の側面が上方より一定長さ切除されて外壁面材との間に差込溝が形成され、該差込溝に前記水切板の垂直部が差し込まれることを特徴とし、
請求項３に係る発明は、請求項１又は２に係る発明において、階上及び階下における隣接の外壁パネルはそれぞれ、断熱ボード同士が密着することを特徴とする。
【００１０】
請求項４に係る発明は、請求項１ないし３のいずれかに係る発明において、前記水切板は水平部と垂直部の間に前記通気層を覆う傾斜部を有し、前記通気層上の傾斜部には通気孔が形成されることを特徴とし、
請求項５に係る発明は、請求項１−４のいずれかに係る発明において、横目地の屋外側に設けられる前記横目地用一次止水材は階下の外壁パネルにおける外壁面材の屋内側及び屋外側のコーナに被さる垂下片を有して、階下の外壁パネルの小口面に被さって該小口面を覆うことを特徴とする。
【発明の効果】
【００１１】
請求項１に係る発明によると、階上及び階下の外壁パネル間に形成される横目地は、縦目地と交差する交差部分を含め、横目地用一次止水材と、水切板とで止水され、二重止水構造をなすが、水切板は水平部を階下の外壁パネルの断熱ボード上に置いて、その上から階上の外壁パネルを組付け、上下より断熱ボードで挟み込むだけで取付けることができ、水切板取付けのために外壁パネルを特別な構造にしたり、特別な取付具を必要とすることはなく、構造が簡単で、施工も容易であること、上下の外壁パネルは屋外側に横目地が形成されるが、屋内側では水切板の水平部を断熱ボードで挟み込むことにより止水が可能となっていること、止水板の垂直部は縦目地の屋外側に装填される縦目地用止水材のスリットに挿入され、水切板の垂直部が存在しない（届かない）スリットより下方にあたる縦目地用止水材による止水構造を、水切板を設置した箇所でも同様に維持させることができる。また仮に立ち上がり片やシールリップが縦目地装着時に倒れたりして変形するようなことがあったとしても、スリットより屋内側の立ち上がり片が止水板の垂直部の挿入により位置を規制されて変形が矯正され、これによりシールリップも位置を規制されて矯正され、スリットより下方の止水板の垂直部が存在しない（届かない）箇所での止水構造と同様、縦目地両側の胴縁に押付けられて胴縁間を塞ぎ、止水構造を維持する。そして縦目地及び横目地の交差部分での止水が水切板で行われる。換言すれば水切板は、縦目地用止水材にスリットを設け、該スリットに垂直部を挿入させることにより縦目地用止水材のシールリップの位置を規制してスリット下の止水構造と同様の止水機能をもたらせながら、縦目地及び横目地の交差部分に設置して該交差部分での止水を行うこともできるようになること、一本の横目地用一次止水材が縦目地で分断されることなく該縦目地を横断して横目地に取付けられることにより、屋外から見た意匠性に優れること等の効果を奏する。
【００１２】
請求項２に係る発明によると、水切板が左右に隣接する外壁パネルの胴縁間に縦目地を横断して配置され、胴縁間で縦目地の止水が行われる。
【００１３】
請求項３に係る発明によると、縦目地を形成する外壁パネルが断熱ボードを密着させることにより断熱ボード間の止水を行うことができるようになる。
階上及び階下の外壁パネル間の縦目地には屋外側に縦目地用止水材が装填されるが、請求項４においては、縦目地用止水材内に侵入し、該止水材を伝い落ちる水が水切板上に滴下するようになり、また横目地用一次止水材を通して侵入した水も水切板に達し、その後胴縁の差込溝を伝って差込溝端より、或いは水切板を伝い、通気孔より通気層内に滴下し、排出されるようになる。
【００１４】
請求項５に係る発明によると、横目地用一次止水材の屋内側及び屋外側に設けた垂下片により横目地用一次止水材を外壁面材の小口面に被せて取付ける際の位置決めを行うことができ、また小口面のコーナに被さる前記垂下片により前記小口面を伝わる水の侵入を防ぐことができる。
【図面の簡単な説明】
【００１５】
【図１】本発明が対象とする目地構造の要部の正面図。
【図２】図１のＡ−Ａ線断面図。
【図３】図１のＢ−Ｂ線断面図。
【図４】縦目地ガスケットの端部の斜視図。
【図５】水切板の斜視図。
【図６】図１のＣ−Ｃ線断面図。
【図７】図１のＤ−Ｄ線断面図。
【発明を実施するための形態】
【００１６】
以下、本発明の実施形態の目地構造について図面により説明する。
図１は、本発明が対象とする目地構造を示すもので、図２及び図３に示す外壁パネル２が階上と階下においてそれぞれ、図示しない梁に組み付けられ、左右の外壁パネル間には縦目地３が、上下の外壁パネル間には横目地４が形成されている。
【００１７】
外壁パネル２は図２及び図３に示すように、外壁面材５と、外壁面材５の左右両側縁に取付けられる胴縁６を介して重ね合わせられる断熱ボード７と、パネルフレーム1とで構成されて、これらが一体化され、胴縁６間は上下方向に貫通する通気層８となっている。
【００１８】
外壁パネル２を構成する胴縁６は、縦方向の側端面が好ましくは図２に示すように外壁面材５と面一に揃えられている。階上の外壁パネル２の胴縁６は下端面が図３に示す例では、階上の外壁パネル２の外壁面材５と面一をなしているが、外壁面材５より若干下方に突出していたり、上方に引込んで形成されていてもよい。
【００１９】
階下の外壁パネル２は、胴縁上端が外壁面材５より下げられているが、これは傾斜部１９ｃを備えた後述の水切板１９を取付ける際に支障を生じないようにするためで、傾斜部１９ｃの勾配を小さくすることにより、或いは傾斜面１９ｃをなくすことにより胴縁上端を外壁パネル２と面一に揃えることも可能である。
【００２０】
上下に組付けられる外壁パネル２はまた、そのうちの少なくとも階下に組付けられる外壁パネル２の胴縁６は、上端面が外壁面材５より下がり、かつ屋外側の側面が上方より一定長さ切除されて外壁面材５との間に差込溝９が下向きに形成されている。
【００２１】
外壁パネル２を構成する断熱ボード７は弾力性があり、図２に示すように一部が外壁面材５より左右の側方にはみ出して突出形成されていると共に、上下に組付けられる外壁パネル２のうち、少なくとも階下に組付けられる外壁パネル２は、図３に示すように上方に一部がはみ出して突出形成され、左右に組付けられる外壁パネル２の断熱ボード７は図２に示すように圧接して密着し、上下の外壁パネル２の断熱ボード７も圧接して密着している（図３においては、上下の断熱ボード間に図示するように後述する横目地用二次止水材２１の厚み分程の隙間ができているが、施工後では二次止水材２１は圧縮されて断熱ボード７に埋まり、上下の断熱ボード７が近接又は密着した状態となる）。なお、階上の外壁パネル２の断熱ボード７は図示する例では、下端面が外壁面材５と面一となっているが、外壁面材５より若干下方に突出していてもよい。この場合、その分だけ階下の外壁パネル２の断熱ボード７は下方に引込められる。断熱ボード７に弾力性がない場合であっても、断熱ボード７を押付けた状態で組付けることにより同様な組付けが可能である。
【００２２】
左右の外壁パネル間の縦目地３には、縦目地用止水材としての縦目地ガスケット１１が装填される。この縦目地ガスケット１１は図２及び図４に示すように、柱部１２と、柱部１２の一端に一体形成される意匠リップ１３と、該意匠リップ寄りの柱部中間部において左右に突出形成される中空シール部１４と、柱部１２の他端に一体形成されるシールリップ１５とを備え、柱部１２には必要によって芯材がインサートされる。そして上下に組付けられる外壁パネル２のうち、少なくとも階下の外壁パネル間の縦目地３に装填される縦目地ガスケット１１には、図４に示すように、その上端部においてシールリップ近くの柱部１２に一定深さのスリット１６が下向きに形成され、スリット１６より屋内側部分は立ち上がり片１７となっている。図示する立ち上がり片１７は上端面が他より低くなっているが、低くしないで他と同じ高さにしてもよい。
【００２３】
縦目地ガスケット１１を縦目地３に装填するときには、常法のように縦目地３に屋外側より所定量押込み、意匠リップ１３及び中空リップ１４を左右両側の外壁面材５に押付け、かつシールリップ１５を両側の胴縁６に押付けて取付け、シールリップ１５の胴縁６への押付けにより断熱ボード７の継目１８から水が屋内に浸入するのを防いでいる（図２参照）。
【００２４】
階下の外壁パネル２を図示しない梁に組付け後、水切板１９を外壁パネル２に取付ける。水切板１９は図５に示すように、横長の鋼板を縦向きに折り曲げて水平部１９ａと、垂直部１９ｂと、水平部１９ａ及び垂直部１９ｂを連結する傾斜部１９ｃを形成してなるもので、水平部上には例えば発泡スポンジ材等よりなる横目地用二次止水材２１が例えば両面テープにより接着して取付けられ、傾斜部１９ｃには通気孔２２が形成されている。この通気孔２２は図示する例では長方形をなしているが、円形、楕円形その他任意の形状であってもよい。
【００２５】
前述する水切板１９の外壁パネル２上端面への取付けは、接着剤や粘着テープといった接着手段を用いて接着してもよいし、釘等の止め金具よりなる物理的な止着手段を用いて    行ってもよく、またそのような手段を用いないで単に置いておくだけでもよい。
【００２６】
通気孔２２は一定ピッチで形成され、水切板１９を外壁パネル２に取付けたとき、通気孔２２が図７に示すように前述の縦目地３や胴縁６、とくに縦目地３に位置しないようにし、強風時に風が吹き込んでも水が通気孔２２を通って断熱ボード７の継ぎ目１８に直接吹付けられることがないようにされる。通気孔２２の大きさやピッチを設定するに際し、例えば通気孔２２の大きさが一定で、縦目地３及び胴縁６に通気孔２２が位置しないようにするため、通気孔２２のピッチが大きくなり過ぎる場合には、縦目地や胴縁６に対応する区間以外の箇所ではピッチを短くしてもよい。
【００２７】
前記横目地用二次止水材２１は、図５に示す例では傾斜部側の水平部１９ａの一側縁に取付けられているが、水平部１９ａの全面に取付けてもよいし、水平部１９ａの中央又は他側縁に取付けてもよい。
【００２８】
組付ける順序については、先ず階下の外壁パネル２が図示しない梁に組付けられ、その後に階上の外壁パネル２が同じく図示しない梁に組付けられる。階上の外壁パネルを組付けるのに先立って少なくとも横目地ガスケット２４及び水切板１９を階下の外壁パネル上に取付けておく必要があるが、縦目地ガスケット１１については、どのタイミングで取付けてもよく、適宜に階下及び階上の縦目地３に組付けられる。以下に組付けの一例を説明するが、これに限定されるものではない。
【００２９】
水切板１９を外壁パネル２へ取付ける前に先ず、階下の外壁パネル２の外壁面材５上端の小口面上に横目地用一次止水材である横目地ガスケット２４を装着する。横目地ガスケット２４は図３に示すように、階下の外壁パネル２の外壁面材５の屋内側及び屋外側のコーナに被さる垂下片２５、２６を有し、外壁面材５上端の小口面への取付けは、内外の垂下片２５、２６内に小口面が納まるように位置決めして行われる。なお図示する横目地ガスケット２４は複雑な中空断面構造をなしているが、要は外壁面材５上端の屋内側及び屋外側コーナに被さる垂下片２５，２６を有し、横目地４に納まって横目地４を止水する機能を有していれば、既存のどのような構造の止水材であってもよく、垂下片２５、２６以外の横目地ガスケット２４の構造は本発明の特徴部分ではないため、具体的な構造の説明は省略する。
【００３０】
横目地ガスケット２４の取付け後、水切板１９を取付ける。この取付けは垂直部１９ｂを下向きにして外壁面材５と胴縁６との間の前記差込溝９に差込み、かつ前記縦目地３に装填される縦目地ガスケット１１のスリット１６に差込みながら横目地用二次止水材２１を上側にした水平部１９ａを断熱ボード上端の小口面に置くことにより行われる。縦目地ガスケット１１の立ち上がり片１７を図示するものよりも高くした場合、水切板１９の垂下部１９ｂより上方の立ち上がり片１７は、前記傾斜部１９ｃにより屋内側に押込まれるが、前述したように傾斜部１９ｃの勾配を小さくしたり傾斜部をなくせば、屋内側に押込まれないようにすることもできる。
【００３１】
次に図３に示すように階上の外壁パネル２を階下の外壁パネル上に位置合わせをして断熱ボード７が水切板１９の水平部１９ａ上に横目地用二次止水材２１を介して圧着されるようにして図示しない梁に組付ける。この組付けにより階下の外壁パネル２の外壁面材５上端の小口面に被せられる横目地ガスケット２４が下方へ押し込まれ、横目地４を止水する。
【００３２】
外壁パネル１を図１に示すように左右上下に組付けた状態において、縦目地３は図２に示すように縦目地用止水材である縦目地ガスケット１１が左右の外壁パネル２の外壁面材５に押付けられ、かつシールリップ１５が左右の胴縁６に押付けられることにより止水され、断熱ボード７の継目１８への止水を行う一方、横目地４は図３に示すように横目地用一次止水材の横目地ガスケット２４と水切板１９により止水されて二重の止水構造をなし、横目地ガスケット２４が上下の外壁パネル２の外壁面材５で上下より押え込まれて止水すると共に、階下の外壁面材５の小口面に被さって止水を行い、また水切板１９が水平部１９ａを上下の外壁パネル２の断熱ボード７で挟み込むことにより支持されると共に、階上の外壁パネル２の断熱ボード７が横目地用二次止水材２１に圧着することにより上下の断熱ボード間を止水するようになっている。そして垂直部１９ｂを胴縁６と外壁面材５との間の差込溝９に差し込むことで傾斜部１９ｃが胴縁６及び通気層８を覆っている。
【００３３】
縦目地３と横目地４が交差する交差部分では、図７に示すように水切板１９の垂直部１９ｂが縦目地ガスケット１１のスリット１６に差し込まれ、スリット１６より下方の水切板１９の垂直部１９ｂが届かない止水構造と同様、シールリップ１５による止水構造を立ち上がり片１７で維持させながら止水板１９を設置することができるようになっている。また止水板１９の垂直部１９ｂで位置を規制された立ち上がり片１７によりシールリップ１５も位置を規制された状態で両側の胴縁６に押付けられて止水機能を果たし、断熱ボード７の継目１８への止水を行う。
【００３４】
縦目地ガスケット１１の意匠リップ１３より屋内側に侵入し、更に中空シール部１４をも通過して侵入した水は中空シール部１４の奥行き幅と同程度の距離を置いて屋内側に設けられたシールリップ１５に遮られる。例えば階上の縦目地３においてシールリップ１５にまで届いた水はシールリップ１５の屋外側の縦目地ガスケット内を伝い落ち、水切板１９の傾斜部１９ｃ上に滴り落ちたのち、階下の縦目地３内を伝い落ちるか、傾斜部１９ｃを横向きに伝って通気孔２２に達し、或いは差込溝９を横向きに伝って通気層８内に滴下し、排出されるようになる。
【００３５】
本実施形態の目地構造によると、横目地４は横目地用一次止水材である横目地ガスケット２４と水切板１９とで止水され、二重に止水されるようになること、水切板１９は水平部１９ａが上下の外壁パネル２の断熱ボード７で挟み付けられることにより支持され、水切板１９と支持するために水切板１９や外壁パネル２を特別な構造にしたり、取付器具を設ける必要がなく、また取付時の工数が増えることもなく、施工が容易であること、上下の断熱ボード７は密着することにより止水されるが、水切板１９に取付けた横目地用二次止水材２１によって、より確実に止水が行われるようになること、縦目地３を形成する外壁パネル２においても、左右両側の断熱ボード７が密着するため止水機能を果たし、縦目地ガスケット１１と相俟って縦目地の止水が行われること、縦目地３と横目地４が十文字に交差する箇所では、水切板１９が胴縁６に跨って縦目地３を横断し、しかも止水板１９の垂直部１９ｂが縦目地ガスケット１１のスリット１６に挿入され、これによりスリット１６より下方の水切板１９の垂直部１９ｂが届かない止水構造と同様、胴縁間を塞ぐシールリップ１５でシール構造を屋内側に残された立ち上がり片１７で維持させながら止水板１９を設置することができる。また止水板１９の垂直部１９ｂの挿入により立ち上がり片１７が位置規制されてシールリップ１５が両側の胴縁６に確実に押付けられるようにすることもでき、止水が行われるようになること、屋内外に垂下片２５、２６を設けた横目時ガスケット２４が階下の外壁パネル２における外壁面材５の小口面に被さって取付けられるが、この取付時には垂下片２５、２６が位置決め機能を果たし、所定位置への取付けが容易かつ確実に行われ、また前記垂下片２５、２６により、該小口面からの水の浸入を防ぐことができること、横目地ガスケット２４が縦目地３を横断して横目地４に装填されるようになり、横目地ガスケット２４が一本で連なっているため意匠性に優れること、等の効果を有する。
【符号の説明】
【００３６】
１・・鋼製のパネルフレーム
２・・外壁パネル
３・・縦目地
４・・横目地
５・・外壁面材
６・・胴縁
７・・断熱ボード
８・・通気層
９・・差込溝
１１・・縦目地ガスケット
１２・・柱部
１３・・意匠リップ
１４・・中空シール部
１５・・シールリップ
１６・・スリット
１７・・立ち上がり片
１９・・水切板
２１・・横目地用二次止水材
２２・・通気孔
２４・・横目地ガスケット
２５，２６・・垂下片
【図１】
0006393605.tif 000002
【図２】
0006393605.tif 000003
【図３】
0006393605.tif 000004
【図４】
0006393605.tif 000005
【図５】
0006393605.tif 000006
【図６】
0006393605.tif 000007
【図７】
0006393605.tif 000008